【手続補正書】
【提出日】平成18年2月21日(2006.2.21)
【手続補正１】
【補正対象書類名】明細書
【補正対象項目名】発明の名称
【補正方法】変更
【補正の内容】
【発明の名称】レンズ鏡筒および撮像装置
【手続補正２】
【補正対象書類名】明細書
【補正対象項目名】特許請求の範囲
【補正方法】変更
【補正の内容】
【特許請求の範囲】
【請求項１】  光軸方向にガイドされるガイド部を有する第１の鏡筒部材と、
前記第１の鏡筒部材の外周側に配置され、前記ガイド部との係合によって前記第１の鏡筒部材を光軸方向にガイドするための溝部を有する第２の鏡筒部材とを有し、
前記第２の鏡筒部材の光軸方向一端部には、前記溝部の一端に位置し、前記ガイド部を前記溝部に対して出し入れ可能な開口部が形成されており、
前記第２の鏡筒部材において、前記溝部のうち前記ガイド部を光軸方向にガイドする領域と前記開口部とが周方向で異なる位置に形成されていることを特徴とするレンズ鏡筒。
【請求項２】  前記第２の鏡筒部材は、前記光軸方向一端部において、前記開口部を含むフランジ部を有することを特徴とする請求項１に記載のレンズ鏡筒。
【請求項３】  請求項１又は２に記載のレンズ鏡筒と、
該レンズ鏡筒により形成された被写体像を光電変換する光電変換素子とを有することを特徴とする撮像装置。
【請求項４】  レンズ鏡筒と、
該レンズ鏡筒により形成された被写体像を光電変換する光電変換素子とを有し、
前記レンズ鏡筒は、
光軸方向にガイドされるガイド部を有する第１の鏡筒部材と、
前記ガイド部との係合によって前記第１の鏡筒部材を光軸方向にガイドするための第１の溝部と、光軸方向一端部に形成されたフランジ部とを有する第２の鏡筒部材とを備え、
前記第２の鏡筒部材は、前記フランジ部において、前記第２の鏡筒部材の周方向で前記第１の溝部と異なる位置に形成された開口部を有するとともに、前記第１の溝部と前記開口部とをつなぐ第２の溝部を有することを特徴とする撮像装置。
【手続補正３】
【補正対象書類名】明細書
【補正対象項目名】０００１
【補正方法】変更
【補正の内容】
【０００１】
【産業上の利用分野】
本発明は銀塩カメラやデジタルスチルカメラに搭載されるレンズ鏡筒に関する。
【手続補正４】
【補正対象書類名】明細書
【補正対象項目名】０００６
【補正方法】変更
【補正の内容】
【０００６】
また、フランジ部１０１ａには、内径切欠部１０１ｃと同位相の位置に凸部１０１ｂが設けられている。この凸部１０１ｂは、固定筒に形成された直進溝部（いずれも不図示）と係合することにより、直進筒１０１が光軸周りに回転するのを阻止している。
【手続補正５】
【補正対象書類名】明細書
【補正対象項目名】００１５
【補正方法】変更
【補正の内容】
【００１５】
また、図３は１群鏡筒及び２群鏡筒が組み付けられた直進筒の斜視図、図４は１群鏡筒が移動する様子を示した図、図５は本実施形態のレンズ鏡筒を備えたカメラの外観図を示す。
【手続補正６】
【補正対象書類名】明細書
【補正対象項目名】００２０
【補正方法】変更
【補正の内容】
【００２０】
カム溝部１ａは、カム筒２の外周面に設けられたカムピン２ａと係合し、直進溝部１ｂは、後述する直進筒に設けられたフランジ部３ｅに形成された凸部３ａと係合する。
【手続補正７】
【補正対象書類名】明細書
【補正対象項目名】００２１
【補正方法】変更
【補正の内容】
【００２１】
カム筒２の外周面後端には、カム筒２の周方向に延びるギア２ｂが設けられている。このギア２ｂは、固定筒１に形成された穴部１ｃを介して、駆動ギア４と噛み合っている。
【手続補正８】
【補正対象書類名】明細書
【補正対象項目名】００２３
【補正方法】変更
【補正の内容】
【００２３】
３は直進筒（第２の鏡筒部材）であり、この直進筒３の外周面先端には、抜け止め突起３ｂ（図１参照）が設けられており、カム筒２と相対回転可能な状態で一体となっている。
【手続補正９】
【補正対象書類名】明細書
【補正対象項目名】００２５
【補正方法】変更
【補正の内容】
【００２５】
フランジ部３ｅの高さ方向の長さ（図１で示すＢの長さ）は、図６に示した従来例のフランジ部１０１ａよりも長くなっている。このため、直進筒３の外周面近傍に配置される上述のギア（第３ギア８、駆動ギア４）とフランジ部３との重複（干渉）が問題となる。
【手続補正１０】
【補正対象書類名】明細書
【補正対象項目名】００２６
【補正方法】変更
【補正の内容】
【００２６】
本実施形態では、フランジ部３ｅに、第３ギア８との重複を避けるための外径切欠部３ｊと駆動ギア４との重複を避けるための外径切欠部３ｋとを設けることにより、この問題を解決している（図１参照）。
【手続補正１１】
【補正対象書類名】明細書
【補正対象項目名】００２７
【補正方法】変更
【補正の内容】
【００２７】
フランジ部３ｅの内周側には、直進筒３の内側に配置された１群鏡筒１１に設けられたカムピン１１ａを通すための内径切欠部３ｌが設けられている。この内径切欠部３ｌは、フランジ部３ｅの周方向における外径切欠部３ｊと外径切欠部３ｋとの間に形成されている。
【手続補正１２】
【補正対象書類名】明細書
【補正対象項目名】００２９
【補正方法】変更
【補正の内容】
【００２９】
しかし、同位相の位置に形成すると、フランジ部３ｅにおける内径切欠部３ｌが形成された箇所のＢの長さが短くなってしまい、フランジ部３ｅの強度が弱くなる。
【手続補正１３】
【補正対象書類名】明細書
【補正対象項目名】００３１
【補正方法】変更
【補正の内容】
【００３１】
外径切欠部３ｊ及び外径切欠部３ｋが形成されていない箇所は、フランジ部３ｅのＢの長さが短くなっていないため、内径切欠部３ｌを設けたとしても、フランジ部３ｅの強度上支障がない。
【手続補正１４】
【補正対象書類名】明細書
【補正対象項目名】００３２
【補正方法】変更
【補正の内容】
【００３２】
フランジ部３ｅには、上述のように固定筒１の直進溝部１ｂと係合する凸部３ａが周方向３箇所に設けられている。
【手続補正１５】
【補正対象書類名】明細書
【補正対象項目名】００３３
【補正方法】変更
【補正の内容】
【００３３】
ここで、上述のように、フランジ部３ｅにおけるＢの長さは、従来例よりも長くなっている。したがって、フランジ部３ｅの強度を確保するという観点から、凸部３ａを内径切欠部３ｆ、３ｌ（３ｆについては後述）が形成された位置と同位相の位置に設ける必要がない。
【手続補正１６】
【補正対象書類名】明細書
【補正対象項目名】００３４
【補正方法】変更
【補正の内容】
【００３４】
その結果、従来例よりも、凸部３ａのフランジ部３ｅ上での位置の自由度が高まる。
【手続補正１７】
【補正対象書類名】明細書
【補正対象項目名】００３５
【補正方法】変更
【補正の内容】
【００３５】
図２において、１１は１群鏡筒（第１の鏡筒部材）で、１２は２群鏡筒であり、これらの鏡筒１１，１２は、図３に示すように、直進筒３の内側に収容される。１群鏡筒１１及び２群鏡筒１２の内部には、不図示の撮影レンズなどが搭載されている。
【手続補正１８】
【補正対象書類名】明細書
【補正対象項目名】００３８
【補正方法】変更
【補正の内容】
【００３８】
２群鏡筒１２を直進筒３に組み込むときは、２群カムピン１２ａを直進筒３の後方から内径切欠部３ｆを通すようにして２群用直進溝部３ｃに導けばよい（図３参照）。
【手続補正１９】
【補正対象書類名】明細書
【補正対象項目名】００４１
【補正方法】変更
【補正の内容】
【００４１】
第１の案内溝部３ｉ及び１群用直進溝部３ｇは、直進筒３の周方向における異なる位置において光軸方向に延びるように形成されており、第２の案内溝部３ｈは、直進筒３の周方向に延びるように形成されている。
【手続補正２０】
【補正対象書類名】明細書
【補正対象項目名】００４２
【補正方法】変更
【補正の内容】
【００４２】
さらに、フランジ部３ｅにおける１群用直進溝部３ｇを延長した位置に外径切欠部３ｊが形成されている。
【手続補正２１】
【補正対象書類名】明細書
【補正対象項目名】００４３
【補正方法】変更
【補正の内容】
【００４３】
１群用直進溝部３ｇは、１群鏡筒１１が１群用カム溝部２ｄの軌跡に沿って移動する時に、カムピン支持部材１１ｂと係合して、１群鏡筒１１が光軸周りに回転するのを阻止する。
【手続補正２２】
【補正対象書類名】明細書
【補正対象項目名】００４４
【補正方法】変更
【補正の内容】
【００４４】
１群鏡筒１１は直進筒３の後方から直進筒３の内側に組み込まれる。具体的には内径切欠部３ｌ→第１の案内溝部３ｉ→第２の案内溝部３ｈ→１群用直進溝部３ｇの順にカムピン支持部材１１ｂを移動させるように１群鏡筒１１を移動及び回転させることで組み込みが完了する（図３参照）。